(57)【要約】  ユーザが違和感を覚えることなく操作することが可能な撮像装置、その作動方法および作動プログラムを提供する。  表示制御部（９５）は、拡大画像及びガイド枠（３７）を画面（３２）に表示する。第１、第２受付部（受付部）（９０、９１）は、ジェスチャー操作の操作方向と拡大表示領域（３５）の移動方向との対応関係の設定指示を受け付ける。情報管理部（設定部）（９４）は、対応関係を設定指示に応じて設定する。コマンド出力部（決定部）（９３）は、ジェスチャー操作が行われた場合に、対応関係に基づいて撮影画像の領域内における移動方向を決定する。表示制御部（９５）は、決定された移動方向に拡大表示領域（３５）を移動させる。
2019087902.tif 000002
【特許請求の範囲】
【請求項１】
表示部、および前記表示部の画面に重ねて配置される透明なタッチ式操作部で構成されるタッチパネルディスプレイと、
撮影画像を前記画面に再生表示した場合に前記撮影画像の一部の領域を拡大した拡大画像を表示し、前記タッチ式操作部に対するユーザの指の接触によるジェスチャー操作に応じて、前記拡大画像として表示する前記撮影画像の一部の領域である拡大表示領域を前記撮影画像の領域内で移動させ、かつ前記撮影画像の領域を示す外枠と、前記拡大表示領域を示す内枠とで構成されるガイド枠を、前記拡大画像に加えて前記画面に表示する表示制御部と、
前記ジェスチャー操作の操作方向と前記拡大表示領域の移動方向との対応関係の設定指示を受け付ける受付部と、
前記対応関係を前記設定指示に応じて設定する設定部と、
前記ジェスチャー操作が行われた場合に、前記対応関係に基づいて前記撮影画像の領域内における前記移動方向を決定する決定部とを備え、
前記表示制御部は、前記決定部で決定された前記移動方向に前記拡大表示領域を移動させる撮像装置。
【請求項２】
前記表示制御部は、前記画面内の前記外枠の表示位置は固定で、前記拡大表示領域の移動に応じて前記内枠を前記外枠に対して移動させ、
かつ前記対応関係に応じて、前記ガイド枠の表示、非表示を切り替える請求項１に記載の撮像装置。
【請求項３】
前記表示制御部は、前記操作方向と前記移動方向が一致する前記対応関係であった場合は前記ガイド枠を表示し、
前記操作方向と前記移動方向が異なる前記対応関係であった場合は前記ガイド枠を非表示とする請求項２に記載の撮像装置。
【請求項４】
前記受付部は、前記ガイド枠の表示、非表示の指示を受け付け、
前記表示制御部は、前記画面内の前記外枠の表示位置は固定で、前記拡大表示領域の移動に応じて前記内枠を前記外枠に対して移動させ、
かつ前記ガイド枠の表示、非表示の指示に応じて、前記ガイド枠の表示、非表示を切り替える請求項１に記載の撮像装置。
【請求項５】
前記受付部は、前記ガイド枠の表示の指示を、前記操作方向と前記移動方向が一致する前記対応関係の前記設定指示として受け付け、
前記ガイド枠の非表示の指示を、前記操作方向と前記移動方向が異なる前記対応関係の前記設定指示として受け付ける請求項４に記載の撮像装置。
【請求項６】
前記表示制御部は、前記ガイド枠が非表示となる場合、前記ガイド枠を非表示としてよいか否かを問い合わせる第１警告画像を前記画面に表示する請求項２ないし５のいずれか１項に記載の撮像装置。
【請求項７】
前記表示制御部は、前記対応関係に応じて、前記ガイド枠の表示を、前記画面内の前記外枠の表示位置は固定で、前記拡大表示領域の移動に応じて前記内枠を前記外枠に対して移動させる内枠移動方式とするか、前記画面内の前記内枠の表示位置は固定で、前記拡大表示領域の移動に応じて前記外枠を前記内枠に対して移動させる外枠移動方式とするかを切り替える請求項１に記載の撮像装置。
【請求項８】
前記表示制御部は、前記操作方向と前記移動方向が一致する前記対応関係であった場合は前記内枠移動方式とし、
前記操作方向と前記移動方向が異なる前記対応関係であった場合は前記外枠移動方式とする請求項７に記載の撮像装置。
【請求項９】
前記表示制御部は、前記操作方向と前記移動方向が一致する前記対応関係の前記設定指示を前記受付部で受け付けた場合、前記操作方向と前記移動方向が一致する設定としてよいか否かを問い合わせる第２警告画像を前記画面に表示する請求項１ないし８のいずれか１項に記載の撮像装置。
【請求項１０】
方向指示キーをさらに備え、
前記表示制御部は、前記方向指示キーで指示された方向と一致する方向に前記拡大表示領域を移動させ、かつ前記画面内の前記外枠の表示位置は固定で、前記拡大表示領域の移動に応じて前記内枠を前記外枠に対して移動させる請求項１ないし９のいずれか１項に記載の撮像装置。
【請求項１１】
前記ジェスチャー操作は、前記タッチ式操作部に指を接触させ、そのまま一定方向にゆっくり指を移動させ、その後前記タッチ式操作部から指を離すスワイプ操作、または、前記タッチ式操作部に指を接触させ、そのまま一定方向に素早く指を払って前記タッチ式操作部から指を離すフリック操作の少なくとも１つを含む請求項１ないし１０のいずれか１項に記載の撮像装置。
【請求項１２】
表示部、および前記表示部の画面に重ねて配置される透明なタッチ式操作部で構成されるタッチパネルディスプレイを備える撮像装置の作動方法であって、
撮影画像を前記画面に再生表示した場合に前記撮影画像の一部の領域を拡大した拡大画像を表示し、前記タッチ式操作部に対するユーザの指の接触によるジェスチャー操作に応じて、前記拡大画像として表示する前記撮影画像の一部の領域である拡大表示領域を前記撮影画像の領域内で移動させ、かつ前記撮影画像の領域を示す外枠と、前記拡大表示領域を示す内枠とで構成されるガイド枠を、前記拡大画像に加えて前記画面に表示する表示制御ステップと、
前記ジェスチャー操作の操作方向と前記拡大表示領域の移動方向との対応関係の設定指示を受け付ける受付ステップと、
前記対応関係を前記設定指示に応じて設定する設定ステップと、
前記ジェスチャー操作が行われた場合に、前記対応関係に基づいて前記撮影画像の領域内における前記移動方向を決定する決定ステップとを備え、
前記表示制御ステップでは、前記決定ステップで決定された前記移動方向に前記拡大表示領域を移動させる撮像装置の作動方法。
【請求項１３】
表示部、および前記表示部の画面に重ねて配置される透明なタッチ式操作部で構成されるタッチパネルディスプレイを備える撮像装置の作動プログラムであって、
撮影画像を前記画面に再生表示した場合に前記撮影画像の一部の領域を拡大した拡大画像を表示し、前記タッチ式操作部に対するユーザの指の接触によるジェスチャー操作に応じて、前記拡大画像として表示する前記撮影画像の一部の領域である拡大表示領域を前記撮影画像の領域内で移動させ、かつ前記撮影画像の領域を示す外枠と、前記拡大表示領域を示す内枠とで構成されるガイド枠を、前記拡大画像に加えて前記画面に表示する表示制御機能と、
前記ジェスチャー操作の操作方向と前記拡大表示領域の移動方向との対応関係の設定指示を受け付ける受付機能と、
前記対応関係を前記設定指示に応じて設定する設定機能と、
前記ジェスチャー操作が行われた場合に、前記対応関係に基づいて前記撮影画像の領域内における前記移動方向を決定する決定機能とを、コンピュータに実行させ、
前記表示制御機能は、前記決定機能で決定された前記移動方向に前記拡大表示領域を移動させる撮像装置の作動プログラム。
【発明の詳細な説明】
【技術分野】
【０００１】
本発明は、撮像装置、その作動方法および作動プログラムに関する。
【背景技術】
【０００２】
撮像装置であるデジタルカメラでは、メモリカード等に記録した撮影画像が表示部の画面に再生表示される。再生表示では、撮影画像の映り具合を詳細に確認するために、撮影画像の一部の領域を拡大した拡大画像を画面に表示することが可能である。そしてこの拡大画像として表示する撮影画像の一部の領域（以下、拡大表示領域）は、撮影画像の領域内で自由に移動させることが可能である。【０００３】
拡大画像を表示した際には、拡大画像に加えて、拡大表示領域が撮影画像のどの部分に対応するかを示すガイド枠が画面に表示される。ガイド枠は、撮影画像の領域を示す外枠と、拡大表示領域を示す内枠とで構成される。外枠は、その大きさおよび位置に変更はなく、画面内で表示が固定される。一方で内枠は、拡大率の変更に応じてその大きさが変更される。また、内枠は、撮影画像の領域内における拡大表示領域の移動に応じて外枠に対する位置が移動される。【０００４】
ところで、最近、タッチパネルディスプレイを操作部として採用したデジタルカメラが増えてきている。タッチパネルディスプレイは、表示部の画面に透明なタッチ式操作部（タッチパッドともいう）を重ねて配置したもので、タッチ式操作部に対するユーザの指の接触によるジェスチャー操作を認識する。ジェスチャー操作には、例えばスワイプ操作とフリック操作がある。スワイプ操作は、タッチ式操作部に指を接触させ、そのまま一定方向にゆっくり指を移動させ、その後タッチ式操作部から指を離す操作である。フリック操作は、タッチ式操作部に指を接触させ、そのまま一定方向に素早く指を払ってタッチ式操作部から指を離す操作である。【０００５】
特許文献１には、拡大画像を表示した場合に、タッチ式操作部へのジェスチャー操作に応じて、撮影画像の領域内で拡大表示領域を移動させるデジタルカメラが記載されている。特許文献１の図１０には、タッチ式操作部への下方向のスワイプ操作またはフリック操作に応じて、拡大表示領域が撮影画像の領域の上方向に移動され、かつこの拡大表示領域の移動に応じて、ガイド枠の内枠が外枠の上方向に移動される様子が描かれている。つまり、特許文献１では、タッチ式操作部への下方向のスワイプ操作またはフリック操作で撮影画像の領域を画面に対して下方向に移動させることで、相対的に拡大表示領域を撮影画像の領域の上方向に移動させているイメージである。
【先行技術文献】
【特許文献】
【０００６】
【特許文献１】特開２０１５−１７２８３６号公報
【発明の概要】
【発明が解決しようとする課題】
【０００７】
特許文献１に記載のデジタルカメラのように、タッチ式操作部へのジェスチャー操作に応じて拡大表示領域を移動させるものでは、ジェスチャー操作の操作方向と、ジェスチャー操作に応じた拡大表示領域の移動方向とは、予め設定されていて固定である。したがって、この固定された設定に最初の操作で違和感を覚えたユーザは、慣れるまでは違和感を引き摺ったまま操作を行わなければならなかった。【０００８】
例えば、タッチ式操作部へのジェスチャー操作の操作方向と拡大表示領域の移動方向の設定が一致しているデジタルカメラに慣れ親しんだユーザがいたとする。このユーザが、特許文献１に記載のデジタルカメラのように、ジェスチャー操作の操作方向と拡大表示領域の移動方向の設定が異なるデジタルカメラを操作した場合を考える。この場合、当該ユーザは、慣れ親しんだデジタルカメラと設定が異なるために戸惑い、操作前に一瞬考えてしまったり操作ミスを犯してしまったりする。【０００９】
本発明は、ユーザが違和感を覚えることなく操作することが可能な撮像装置、その作動方法および作動プログラムを提供することを目的とする。
【課題を解決するための手段】
【００１０】
上記課題を解決するために、本発明の撮像装置は、タッチパネルディスプレイと、外枠と、表示制御部と、受付部と、設定部と、決定部とを備える。タッチパネルディスプレイは、表示部、および表示部の画面に重ねて配置される透明なタッチ式操作部で構成される。外枠は、撮影画像を画面に再生表示した場合に撮影画像の一部の領域を拡大した拡大画像を表示し、タッチ式操作部に対するユーザの指の接触によるジェスチャー操作に応じて、拡大画像として表示する撮影画像の一部の領域である拡大表示領域を撮影画像の領域内で移動させ、かつ撮影画像の領域を示す。表示制御部は、拡大表示領域を示す内枠とで構成されるガイド枠を、拡大画像に加えて画面に表示する。受付部は、ジェスチャー操作の操作方向と拡大表示領域の移動方向との対応関係の設定指示を受け付ける。設定部は、対応関係を設定指示に応じて設定する。決定部は、ジェスチャー操作が行われた場合に、対応関係に基づいて撮影画像の領域内における移動方向を決定する。表示制御部は、決定部で決定された移動方向に拡大表示領域を移動させる。【００１１】
表示制御部は、画面内の外枠の表示位置は固定で、拡大表示領域の移動に応じて内枠を外枠に対して移動させ、かつ対応関係に応じて、ガイド枠の表示、非表示を切り替えることが好ましい。【００１２】
表示制御部は、操作方向と移動方向が一致する対応関係であった場合はガイド枠を表示し、操作方向と移動方向が異なる対応関係であった場合はガイド枠を非表示とすることが好ましい。【００１３】
受付部は、ガイド枠の表示、非表示の指示を受け付け、表示制御部は、画面内の外枠の表示位置は固定で、拡大表示領域の移動に応じて内枠を外枠に対して移動させ、かつガイド枠の表示、非表示の指示に応じて、ガイド枠の表示、非表示を切り替えることが好ましい。【００１４】
受付部は、ガイド枠の表示の指示を、操作方向と移動方向が一致する対応関係の設定指示として受け付け、ガイド枠の非表示の指示を、操作方向と移動方向が異なる対応関係の設定指示として受け付けることが好ましい。【００１５】
表示制御部は、ガイド枠が非表示となる場合、ガイド枠を非表示としてよいか否かを問い合わせる第１警告画像を画面に表示することが好ましい。【００１６】
表示制御部は、対応関係に応じて、ガイド枠の表示を、画面内の外枠の表示位置は固定で、拡大表示領域の移動に応じて内枠を外枠に対して移動させる内枠移動方式とするか、画面内の内枠の表示位置は固定で、拡大表示領域の移動に応じて外枠を内枠に対して移動させる外枠移動方式とするかを切り替えることが好ましい。【００１７】
表示制御部は、操作方向と移動方向が一致する対応関係であった場合は内枠移動方式とし、操作方向と移動方向が異なる対応関係であった場合は外枠移動方式とすることが好ましい。【００１８】
表示制御部は、操作方向と移動方向が一致する対応関係の設定指示を受付部で受け付けた場合、操作方向と移動方向が一致する設定としてよいか否かを問い合わせる第２警告画像を画面に表示することが好ましい。【００１９】
方向指示キーをさらに備え、表示制御部は、方向指示キーで指示された方向と一致する方向に拡大表示領域を移動させ、かつ画面内の外枠の表示位置は固定で、拡大表示領域の移動に応じて内枠を外枠に対して移動させることが好ましい。【００２０】
ジェスチャー操作は、タッチ式操作部に指を接触させ、そのまま一定方向にゆっくり指を移動させ、その後タッチ式操作部から指を離すスワイプ操作、または、タッチ式操作部に指を接触させ、そのまま一定方向に素早く指を払ってタッチ式操作部から指を離すフリック操作の少なくとも１つを含むことが好ましい。【００２１】
本発明の撮像装置の作動方法は、表示部、および表示部の画面に重ねて配置される透明なタッチ式操作部で構成されるタッチパネルディスプレイを備える撮像装置の作動方法であって、表示制御ステップと、受付ステップと、設定ステップと、決定ステップとを備える。表示制御ステップは、撮影画像を画面に再生表示した場合に撮影画像の一部の領域を拡大した拡大画像を表示し、タッチ式操作部に対するユーザの指の接触によるジェスチャー操作に応じて、拡大画像として表示する撮影画像の一部の領域である拡大表示領域を撮影画像の領域内で移動させ、かつ撮影画像の領域を示す外枠と、拡大表示領域を示す内枠とで構成されるガイド枠を、拡大画像に加えて画面に表示する。受付ステップは、ジェスチャー操作の操作方向と拡大表示領域の移動方向との対応関係の設定指示を受け付ける。設定ステップは、対応関係を設定指示に応じて設定する。決定ステップは、ジェスチャー操作が行われた場合に、対応関係に基づいて撮影画像の領域内における移動方向を決定する。表示制御ステップでは、決定ステップで決定された移動方向に拡大表示領域を移動させる。【００２２】
本発明の撮像装置の作動プログラムは、表示部、および表示部の画面に重ねて配置される透明なタッチ式操作部で構成されるタッチパネルディスプレイを備える撮像装置の作動プログラムであって、表示制御機能と、受付機能と、設定機能と、決定機能とを、コンピュータに実行させる。表示制御機能は、撮影画像を画面に再生表示した場合に撮影画像の一部の領域を拡大した拡大画像を表示し、タッチ式操作部に対するユーザの指の接触によるジェスチャー操作に応じて、拡大画像として表示する撮影画像の一部の領域である拡大表示領域を撮影画像の領域内で移動させ、かつ撮影画像の領域を示す外枠と、拡大表示領域を示す内枠とで構成されるガイド枠を、拡大画像に加えて画面に表示する。受付機能は、
ジェスチャー操作の操作方向と拡大表示領域の移動方向との対応関係の設定指示を受け付ける。設定機能は、対応関係を設定指示に応じて設定する。決定機能は、ジェスチャー操作が行われた場合に、対応関係に基づいて撮影画像の領域内における移動方向を決定する。表示制御機能は、決定機能で決定された移動方向に拡大表示領域を移動させる。
【発明の効果】
【００２３】
本発明は、タッチ式操作部へのジェスチャー操作の操作方向と拡大表示領域の移動方向との対応関係を、設定指示に応じて設定し、ジェスチャー操作が行われた場合に、対応関係に基づいて撮影画像の領域内における拡大表示領域の移動方向を決定して、決定した移動方向に拡大表示領域を移動させるので、ユーザの好みに応じた対応関係を設定することができ、この対応関係に基づいて拡大表示領域を移動させることができる。したがって、ユーザが違和感を覚えることなく操作することが可能な撮像装置、その作動方法および作動プログラムを提供することができる。
【図面の簡単な説明】
【００２４】
【図１】デジタルカメラの正面外観斜視図である。
【図２】デジタルカメラの背面外観斜視図である。
【図３】タッチパネルディスプレイの模式図である。
【図４】スワイプ操作またはフリック操作の様子を示す図である。
【図５】撮影画像の再生表示の様子を示す図であり、（Ａ）は人物の顔に対応するタッチ式操作部の部分に対してピンチアウト操作が行われている様子、（Ｂ）は人物の顔の領域を拡大した拡大画像が表示された状態をそれぞれ示す。
【図６】拡大率表示バーおよびガイド枠を示す図である。
【図７】設定画像を示す図である。
【図８】デジタルカメラのブロック図である。
【図９】デジタルカメラのＣＰＵのブロック図である。
【図１０】ジェスチャー操作認識用情報を示す図である。
【図１１】コマンド変換用情報を示す図である。
【図１２】第１対応関係情報を示す図である。
【図１３】第２対応関係情報を示す図である。
【図１４】第１対応関係情報の別の例を示す図である。
【図１５】第１対応関係を設定する様子を概略的に示す図である。
【図１６】第１対応関係に基づいて拡大表示領域の移動方向を決定し、決定した移動方向に拡大表示領域を移動させる様子を概略的に示す図である。
【図１７】第２対応関係に基づいて拡大表示領域の移動方向を決定し、決定した移動方向に拡大表示領域を移動させる様子を概略的に示す図である。
【図１８】デジタルカメラの処理手順を示すフローチャートである。
【図１９】デジタルカメラの処理手順を示すフローチャートである。
【図２０】第１対応関係に応じて、ガイド枠の表示、非表示を切り替える第２実施形態を示す図であり、（Ａ）はスワイプ操作またはフリック操作の操作方向と拡大表示領域の移動方向が一致する場合、（Ｂ）はスワイプ操作またはフリック操作の操作方向と拡大表示領域の移動方向が異なる場合をそれぞれ示す。
【図２１】第１警告画像を示す図である。
【図２２】第２実施形態のデジタルカメラの処理手順を示すフローチャートである。
【図２３】第２実施形態のデジタルカメラの処理手順を示すフローチャートである。
【図２４】第２実施形態のデジタルカメラの処理手順を示すフローチャートである。
【図２５】スワイプ操作またはフリック操作の操作方向と拡大表示領域の移動方向が一部一致し、一部異なる場合のガイド枠の表示、非表示の切り替えを示す図である。
【図２６】表示設定画像を示す図である。
【図２７】第３実施形態の第１、第２受付部の機能を示す図であり、（Ａ）は表示設定指示がガイド枠の表示を指示するものであった場合、（Ｂ）は表示設定指示がガイド枠の非表示を指示するものであった場合をそれぞれ示す。
【図２８】第３実施形態のデジタルカメラの処理手順を示すフローチャートである。
【図２９】第３実施形態のデジタルカメラの処理手順を示すフローチャートである。
【図３０】外枠移動方式の説明図である。
【図３１】第４実施形態の表示制御部の機能を示す図であり、（Ａ）はスワイプ操作またはフリック操作の操作方向と拡大表示領域の移動方向が一致する第１対応関係であった場合、（Ｂ）はスワイプ操作またはフリック操作の操作方向と拡大表示領域の移動方向が異なる第１対応関係であった場合をそれぞれ示す。
【図３２】第４実施形態のデジタルカメラの処理手順を示すフローチャートである。
【図３３】第４実施形態のデジタルカメラの処理手順を示すフローチャートである。
【図３４】第２警告画像を示す図である。
【発明を実施するための形態】
【００２５】
［第１実施形態］
図１および図２において、撮像装置としてのデジタルカメラ１０の正面には、レンズ鏡筒１１が設けられている。レンズ鏡筒１１には、撮像光学系１２が内蔵されている。レンズ鏡筒１１は交換可能であり、デジタルカメラ１０はいわゆるレンズ交換式である。
【００２６】
レンズ鏡筒１１の奥には、イメージセンサ１３が配置されている（図８参照）。イメージセンサ１３は、例えば、ＣＣＤ（Charge Coupled Device）型、あるいはＣＭＯＳ（Complementary Metal Oxide Semiconductor）型であり、矩形状の撮像面を有している。撮像面には、複数の画素がマトリックス状に配列されている。画素は、撮像光学系１２を介して撮像面に結像された被写体像を光電変換して、被写体の画像データの元となる撮像信号を出力する。
【００２７】
デジタルカメラ１０の上面には、電源レバー１４、レリーズスイッチ１５、ホットシュー１６等が設けられている。電源レバー１４は、デジタルカメラ１０の電源をオンオフする際に操作される。ホットシュー１６には、外付けのフラッシュ装置が着脱自在に取り付けられる。
【００２８】
レリーズスイッチ１５は、静止画撮影を指示する際、あるいは動画撮影の開始、終了を指示する際に操作される。レリーズスイッチ１５は２段押下型である。レリーズスイッチ１５が１段目まで押された（半押しされた）場合、自動焦点調節や自動露出制御等の周知の撮影準備処理が実行される。レリーズスイッチ１５が２段目まで押された（全押しされた）場合、イメージセンサ１３に本撮影動作（画素に電荷を蓄積させ、蓄積電荷に応じた撮像信号を出力させる動作）を実行させ、これによりイメージセンサ１３から出力された画像データを撮影画像として記録する撮影処理が実行される。
【００２９】
ファインダ部１７は、正面に配され、被写体像を取り込む対物窓１８と、背面に配され、ユーザの眼が接眼される接眼窓１９とを有する。ユーザは、このファインダ部１７を通じて、撮影する被写体像の構図を確認することができる。
【００３０】
デジタルカメラ１０の背面には、タッチパネルディスプレイ２０、操作キー群２１等が設けられている。タッチパネルディスプレイ２０は、イメージセンサ１３からの画像データで表される被写体の撮影画像をリアルタイムで表示する、いわゆるライブビュー表示を行う。ライブビュー表示の他にも、タッチパネルディスプレイ２０は、記録された撮影画像の再生表示を行ったり（図５参照）、設定画像５０（図７参照）といった各種画像の表示を行う。
【００３１】
操作キー群２１は、方向指示キー２２、メニュー／決定キー２３、再生表示キー２４、戻るキー２５等で構成される。方向指示キー２２は、上下左右の各方向を指示するための４個のキーで構成され、各種選択候補を選択する際等に操作される。メニュー／決定キー２３は、操作キー群２１の中央に配され、選択候補の選択を確定する際等に操作される。再生表示キー２４は、タッチパネルディスプレイ２０に撮影画像を再生表示させる際に操作される。戻るキー２５は、再生表示からライブビュー表示に表示形式を戻す際や、撮影画像の拡大表示を止める際等に操作される。以下では、操作キー群２１に対する操作をキー操作という。なお、図１および図２において符号２６で示す部分は、メモリカード７６（図８参照）が着脱可能に装着されるメモリカードスロットを覆う蓋である。
【００３２】
図３は、タッチパネルディスプレイ２０の構成を模式的に表したものである。タッチパネルディスプレイ２０は、表示部３０とタッチ式操作部３１とで構成される。表示部３０は、例えば液晶ディスプレイであり、その画面３２には前述のように各種画像が表示される。タッチ式操作部３１は、周知のように、互いに直交する２層の透明電極と、２層の透明電極を隔てる透明な絶縁層と、最上層に被せられる透明な保護カバーとを有する。タッチ式操作部３１は、透明電極でユーザの指Ｆ（図４参照）の接触を感知して検知信号を出力する。タッチ式操作部３１は、表示部３０の画面３２に重ねて配置される。タッチパネルディスプレイ２０は、これら表示部３０およびタッチ式操作部３１が一体化された状態で、図２で示したようにデジタルカメラ１０の背面に取り付けられる。
【００３３】
タッチパネルディスプレイ２０は、タッチ式操作部３１に対するユーザの指Ｆの接触によるジェスチャー操作を認識する。ジェスチャー操作には、例えばスワイプ操作とフリック操作がある。スワイプ操作は、タッチ式操作部３１に指Ｆを接触させ、そのまま一定方向にゆっくり指Ｆを移動させ、その後タッチ式操作部３１から指Ｆを離す操作である。フリック操作は、タッチ式操作部３１に指Ｆを接触させ、そのまま一定方向に素早く指Ｆを払ってタッチ式操作部３１から指Ｆを離す操作である。スワイプ操作またはフリック操作は、操作キー群２１の方向指示キー２２と同じく、各種選択候補を選択する際等に行われる。
【００３４】
図４は、タッチ式操作部３１への上方向のスワイプ操作またはフリック操作の様子を示している。ユーザは、タッチ式操作部３１の適当な位置に指Ｆ（ここでは人差し指）を接触させ、破線の矢印で示すように、上方向にゆっくり指Ｆを移動させるか（スワイプ操作）、上方向に素早く指Ｆを払い（フリック操作）、その後タッチ式操作部３１から指Ｆを離す。
【００３５】
ジェスチャー操作としては、図４に例示したスワイプ操作、フリック操作の他に、タップ操作、ピンチイン操作、ピンチアウト操作等がある。タップ操作は、タッチ式操作部３１を指Ｆで叩く操作であり、１回叩くシングルタップ操作と２回連続して叩くダブルタップ操作がある。ピンチイン操作は、親指と人差し指等の少なくとも２本の指Ｆを離した状態でタッチ式操作部３１に接触させた後、２本の指Ｆを互いに近付く方向に移動させる操作である。ピンチアウト操作は逆に、２本の指Ｆを近付けた状態でタッチ式操作部３１に接触させた後、２本の指Ｆを互いに離れる方向に移動させる操作である（図５（Ａ）参照）。
【００３６】
タップ操作は、操作キー群２１のメニュー／決定キー２３と同じく、選択候補の選択を確定する際等に行われる。ピンチイン操作は、再生表示された撮影画像を縮小する際等に行われ、ピンチアウト操作は、再生表示された撮影画像を拡大する際等に行われる（図５（Ａ）参照）。
【００３７】
図５（Ａ）は、再生表示キー２４が操作されて、タッチパネルディスプレイ２０に撮影画像が再生表示された状態を示している。撮影画像は、人物の顔が中央にあり、人物の顔の左側に時計があり、部屋の壁が左右に、天井が上側にある構図である。この状態で、破線で示すように、人物の顔に対応するタッチ式操作部３１の部分に対してピンチアウト操作が行われた場合、図５（Ｂ）に示すように、撮影画像の一部の領域である人物の顔の領域を拡大した拡大画像が画面３２に表示される。以下、拡大画像として表示する撮影画像の一部の領域を、拡大表示領域３５という。拡大表示領域３５は、例えば、ピンチイン操作およびピンチアウト操作における２本の指の接触位置を直線で結んだ中間点に、その中心が位置する。
【００３８】
拡大画像が表示された図５（Ｂ）に示す状態においては、画面３２の右隅に拡大率表示バー３６およびガイド枠３７が表示される。拡大率表示バー３６およびガイド枠３７は、半透明の状態で表示される。このため、拡大率表示バー３６およびガイド枠３７に重なった領域は透けており、ユーザが視認可能である。
【００３９】
図６に示すように、拡大率表示バー３６は、横長なバー本体４０と、拡大率に応じてバー本体４０内を移動するマーク４１とで構成される。マーク４１は、拡大率が大きくなる（拡大表示領域３５が小さくなる）につれて右側に移動する。すなわち、元々の拡大していない撮影画像に近い拡大画像が表示されている場合は、マーク４１はバー本体４０の左端にあり、撮影画像のより小さい領域の拡大画像が表示される程、マーク４１はバー本体４０の右端に向かって移動する。
【００４０】
ガイド枠３７は、撮影画像の領域を示す外枠４２と、拡大表示領域３５を示す内枠４３とで構成される。内枠４３は、ハッチングで示すように所定の色（例えば黒色）で色付けされている。外枠４２の画面３２内の表示位置は固定である。一方、内枠４３は、矢印Ｋで示すように、撮影画像の領域内における拡大表示領域３５の移動に応じて、外枠４２に対する位置が上下左右に移動される。また、内枠４３は、矢印Ｌで示すように、拡大率の変更に応じてその大きさが変更される。
【００４１】
図７において、設定画像５０は、ジェスチャー操作であるスワイプ操作またはフリック操作の操作方向と拡大表示領域３５の移動方向との対応関係（以下、第１対応関係）を設定する際に、画面３２に表示される操作画像である。
【００４２】
設定画像５０には、スワイプ操作またはフリック操作の上下左右の各方向に対する拡大表示領域３５の移動方向を、上下左右のいずれかに択一的に設定するためのラジオボタン５１と、設定ボタン５２とキャンセルボタン５３とが設けられる。設定ボタン５２が選択された場合、そのときのラジオボタン５１の選択状態が第１対応関係として設定される。一方、キャンセルボタン５３が選択された場合は、設定画像５０が画面３２から消去される。
【００４３】
上方向のスワイプ操作またはフリック操作に対して、拡大表示領域３５の移動方向に上が設定された場合、下方向のスワイプ操作またはフリック操作に対する拡大表示領域３５の移動方向には、自動的に下が設定される。一方、上方向のスワイプ操作またはフリック操作に対して、拡大表示領域３５の移動方向に下が設定された場合は、下方向のスワイプ操作またはフリック操作に対する拡大表示領域３５の移動方向には、自動的に上が設定される。
【００４４】
同様に、左方向のスワイプ操作またはフリック操作に対して、拡大表示領域３５の移動方向に左が設定された場合、右方向のスワイプ操作またはフリック操作に対する拡大表示領域３５の移動方向には、自動的に右が設定される。一方、左方向のスワイプ操作またはフリック操作に対して、拡大表示領域３５の移動方向に右が設定された場合は、右方向のスワイプ操作またはフリック操作に対する拡大表示領域３５の移動方向には、自動的に左が設定される。
【００４５】
図７では、上方向のスワイプ操作およびフリック操作に対して、拡大表示領域３５の移動方向に上が、下方向のスワイプ操作およびフリック操作に対して、拡大表示領域３５の移動方向に下が、それぞれ設定されている。そして、左方向のスワイプ操作およびフリック操作に対して、拡大表示領域３５の移動方向に左が、右方向のスワイプ操作およびフリック操作に対して、拡大表示領域３５の移動方向に右が、それぞれ設定されている。このように、スワイプ操作またはフリック操作の操作方向と拡大表示領域３５の移動方向とは一致している。なお、左方向のスワイプ操作およびフリック操作に対しては、拡大表示領域３５の移動方向を左、右方向のスワイプ操作およびフリック操作に対しては、拡大表示領域３５の移動方向を右にそれぞれ固定して設定変更不可とし、上方向と下方向のスワイプ操作およびフリック操作のみ、拡大表示領域３５の移動方向を設定変更可能としてもよい。
【００４６】
拡大表示領域３５は、スワイプ操作およびフリック操作だけでなく、方向指示キー２２の操作によっても移動させることが可能である。ただし、方向指示キー２２の操作方向と、これに応じた拡大表示領域３５の移動方向との対応関係（以下、第２対応関係）は、第１対応関係とは異なり、予め固定されていて設定変更不可である。
【００４７】
すなわち、方向指示キー２２の上方向の操作に対しては、拡大表示領域３５の移動方向に上が、方向指示キー２２の下方向の操作に対しては、拡大表示領域３５の移動方向に下が、それぞれ設定されている。また、方向指示キー２２の左方向の操作に対しては、拡大表示領域３５の移動方向に左が、方向指示キー２２の右方向の操作に対しては、拡大表示領域３５の移動方向に右が、それぞれ設定されている（図１３参照）。このように、方向指示キー２２の操作方向と拡大表示領域３５の移動方向とは一致している。
【００４８】
図８において、撮像光学系１２は、移動レンズ６０と、絞り機構６１とを備える。移動レンズ６０は、焦点調節用のフォーカスレンズおよびズーム用のズームレンズであり、光軸ＯＡに沿って移動する。絞り機構６１は、周知のように、複数枚の絞り羽根を有する。絞り羽根は略円形の絞り開口を形成し、この絞り開口の大きさを変化させることで入射光量を制限する。なお、図示および説明は省略するが、撮像光学系１２は、移動レンズ６０の他にも様々なレンズを有している。
【００４９】
デジタルカメラ１０は、アナログ処理部（ＡＦＥ；Analog Front End）６５およびデジタル信号処理部（ＤＳＰ；Digital Signal Processor）６６、センサ制御部６７、光学系制御部６８、ＣＰＵ（Central Processing Unit）６９、フレームメモリ７０、カード制御部７１、および記憶部７２を備える。これらはデータバス７３で相互に接続されている。
【００５０】
ＡＦＥ６５は、イメージセンサ１３からのアナログの撮像信号に対して、相関二重サンプリング処理や増幅処理、アナログ／デジタル変換処理を施し、所定のビット数に応じた階調値を持つ画像データに変換してＤＳＰ６６に出力する。ＤＳＰ６６は、ＡＦＥ６５からの画像データに対して、ガンマ補正処理、欠陥画素補正処理、ホワイトバランス補正処理、同時化処理等の周知の信号処理を施す。
【００５１】
センサ制御部６７はイメージセンサ１３の動作を制御する。具体的には、センサ制御部６７は、ＣＰＵ６９から入力される基準クロック信号に同期したセンサ制御信号をイメージセンサ１３に出力し、イメージセンサ１３に所定のフレームレートで撮像信号を出力させる。
【００５２】
光学系制御部６８は、自動焦点調節時、移動レンズ６０を合焦位置に移動させる。また、光学系制御部６８は、自動露出制御時、演算した開度となるよう絞り機構６１の絞り羽根を開閉させる。
【００５３】
ＣＰＵ６９は、記憶部７２に記憶された作動プログラム７５に基づいて、デジタルカメラ１０の各部の動作を統括的に制御する。例えばＣＰＵ６９は、レリーズスイッチ１５の半押しに応じて撮影準備処理を実行し、レリーズスイッチ１５の全押しに応じて撮影処理を実行する。また、ＣＰＵ６９は、操作キー群２１からの操作信号に応じた処理を実行する。なお、図８では、レリーズスイッチ１５および操作キー群２１のみを図示しているが、前述の電源レバー１４をはじめとした他の操作部もデータバス７３に接続され、これらからの操作信号に応じた処理がＣＰＵ６９で実行される。
【００５４】
フレームメモリ７０は、ＤＳＰ６６で各種信号処理が施された１フレーム分の画像データを記憶する。フレームメモリ７０に記憶される画像データは、所定のフレームレートで随時更新される。
【００５５】
カード制御部７１は、メモリカード７６への撮影画像の記録、およびメモリカード７６からの撮影画像の読み出しを制御する。レリーズスイッチ１５の全押しに伴う撮影処理においては、カード制御部７１は、そのときフレームメモリ７０に記憶されていた画像データを、撮影画像としてメモリカード７６に記録する。
【００５６】
図９において、記憶部７２には、前述の作動プログラム７５に加えて、ジェスチャー操作認識用情報８０（図１０参照）、コマンド変換用情報８１（図１１参照）、第１対応関係情報８２（図１２参照）、および第２対応関係情報８３（図１３参照）が記憶されている。
【００５７】
作動プログラム７５が起動されると、ＣＰＵ６９は、第１受付部９０、第２受付部９１、認識部９２、コマンド出力部９３、情報管理部９４、および表示制御部９５として機能する。
【００５８】
第１受付部９０は、タッチ式操作部３１に対して行われるジェスチャー操作による操作指示（以下、第１操作指示）を受け付ける。第１受付部９０は、第１操作指示を認識部９２に出力する。一方、第２受付部９１は、操作キー群２１に対して行われるキー操作による操作指示（以下、第２操作指示）を受け付ける。第２受付部９１は、第２操作指示をコマンド出力部９３に出力する。
【００５９】
第１操作指示は、タッチ式操作部３１に対する指Ｆの接触位置、および移動軌跡を示す座標情報、タッチ式操作部３１に対する指Ｆの接触本数、接触時間、単位時間当たりの接触回数といった情報を含む。座標は、例えば、タッチ式操作部３１を構成する、互いに直交する２層の透明電極の交点を示す２組の数字である。一方、第２操作指示は、方向指示キー２２の上下左右の各キーのいずれかの操作信号と、その操作時間を示す情報、並びにメニュー／決定キー２３の操作信号である。
【００６０】
第１操作指示および第２操作指示には、第１対応関係の設定指示が含まれる。設定指示は、設定画像５０の設定ボタン５２が選択されたときに、タッチ式操作部３１から第１受付部９０に、もしくは操作キー群２１から第２受付部９１に出力される。つまり、第１受付部９０および第２受付部９１は、設定指示を受け付ける受付部に相当し、設定指示の受付機能を担う。
【００６１】
認識部９２は、ジェスチャー操作認識用情報８０を参照して、第１受付部９０からの第１操作指示の元であるジェスチャー操作が、前述のスワイプ操作、フリック操作、タップ操作、ピンチイン操作、ピンチアウト操作等のいずれであるかを認識する。そして、スワイプ操作、フリック操作、ピンチイン操作、ピンチアウト操作の場合は、指Ｆの移動軌跡から指Ｆの移動量および移動速度を認識する。認識部９２は、認識結果をコマンド出力部９３に出力する。
【００６２】
コマンド出力部９３は、コマンド変換用情報８１と表示制御部９５からの表示ステータスとを参照して、認識部９２からの認識結果、および第２受付部９１からの第２操作指示をコマンドに変換する。そして、変換したコマンドを、情報管理部９４、表示制御部９５といった各種処理部に出力する。コマンドは、認識結果（言い換えれば第１操作指示）および第２操作指示を、情報管理部９４、表示制御部９５等が理解可能な形態に変換したものである。表示ステータスは、拡大表示領域３５の大きさ（拡大率）および位置を含む撮影画像の再生表示状態等、表示部３０の画面３２への各種画像の表示状況を示す情報である。
【００６３】
情報管理部９４は、各種情報８０〜８３の記憶部７２への書き込み、および各種情報８０〜８３の記憶部７２からの読み出しを管理する。例えば、情報管理部９４は、ジェスチャー操作認識用情報８０を認識部９２に受け渡し、コマンド変換用情報８１をコマンド出力部９３に受け渡す。
【００６４】
表示制御部９５は、表示部３０の画面３２への各種画像の表示を制御する表示制御機能を担う。表示制御部９５は、各種画像の表示状態を表示ステータスとしてコマンド出力部９３に出力する。このため、コマンド出力部９３は表示ステータスを常に把握している。
【００６５】
図１０において、ジェスチャー操作認識用情報８０は、タッチ式操作部３１への指Ｆの接触本数、移動軌跡、接触時間、単位時間当たりの接触回数に対するジェスチャー操作を登録したものである。例えば接触本数が１本、移動軌跡が１点、接触時間がＴ１（例えば１秒未満）、接触回数が１回の場合はシングルタップ操作が登録されている。また、接触本数が１本、移動軌跡が上方向、接触時間がＴ２（例えば１秒以上）の場合は上方向のスワイプ操作が、接触本数および移動軌跡は同じで、接触時間がＴ１の場合は上方向のフリック操作が、それぞれ登録されている。
【００６６】
認識部９２は、第１受付部９０からの第１操作指示に含まれるタッチ式操作部３１への指Ｆの接触本数、移動軌跡、接触時間、単位時間当たりの接触回数と一致するジェスチャー操作を、ジェスチャー操作認識用情報８０から抽出する。そして、この抽出したジェスチャー操作を認識結果としてコマンド出力部９３に出力する。例えば第１操作指示に含まれるタッチ式操作部３１への指Ｆの接触本数が２本、移動軌跡が離れる方向であった場合、認識部９２は、ジェスチャー操作認識用情報８０からピンチアウト操作を抽出し、これをコマンド出力部９３に出力する。
【００６７】
図１１において、コマンド変換用情報８１は、認識結果（ジェスチャー操作）またはキー操作と、表示ステータスとに対するコマンドを登録したものである。例えば、設定画像５０において設定ボタン５２が選択されている表示ステータスで、ジェスチャー操作としてシングルタップ操作が行われた場合、またはキー操作としてメニュー／決定キー２３が操作された場合は、第１対応関係を設定する旨のコマンドが登録されている。
【００６８】
撮影画像が再生表示されている図５（Ａ）に示した表示ステータスで、ジェスチャー操作としてピンチイン操作が行われた場合は、撮影画像を縮小する旨のコマンドが登録されている。一方、同じ表示ステータスでピンチアウト操作が行われた場合は、撮影画像を拡大する旨のコマンドが登録されている。
【００６９】
さらに、拡大画像が表示されている図５（Ｂ）に示した表示ステータスで、ジェスチャー操作として例えば上方向のスワイプ操作またはフリック操作が行われた場合は、拡大表示領域３５を上方向に移動させる旨のコマンドが登録されている。また、同じ表示ステータスで、キー操作として例えば方向指示キー２２の上方向の操作が行われた場合は、拡大表示領域３５を上方向に移動させる旨のコマンドが登録されている。
【００７０】
図１２において、第１対応関係情報８２は、スワイプ操作またはフリック操作の操作方向と拡大表示領域３５の移動方向、すなわち第１対応関係を登録したものである。ここでは図７で示した第１対応関係が登録されている。同様に図１３において、第２対応関係情報８３は、方向指示キー２２の操作方向と拡大表示領域３５の移動方向、すなわち第２対応関係を登録したものである。ここでは方向指示キー２２の操作方向と拡大表示領域３５の移動方向が一致する第２対応関係が登録されている。
【００７１】
第１対応関係情報８２は、設定指示に応じてその内容が書き換えられる。対して第２対応関係情報８３は、図１３に示す内容のままで書き換え不可である。なお、第１対応関係情報８２と第２対応関係情報８３を統合して１つの対応関係情報としてもよい。
【００７２】
図１４は、第１対応関係情報８２の別の例である。図１２では、スワイプ操作またはフリック操作の操作方向と拡大表示領域３５の移動方向が一致していたが、図１４に示す例では、スワイプ操作またはフリック操作の操作方向と拡大表示領域３５の移動方向とが異なっている。すなわち、上方向のスワイプ操作およびフリック操作に対して、拡大表示領域３５の移動方向に下が、下方向のスワイプ操作およびフリック操作に対して、拡大表示領域３５の移動方向に上が、それぞれ設定されている。そして、左方向のスワイプ操作およびフリック操作に対して、拡大表示領域３５の移動方向に右が、右方向のスワイプ操作およびフリック操作に対して、拡大表示領域３５の移動方向に左が、それぞれ設定されている。
【００７３】
図１４に示す第１対応関係情報では、スワイプ操作またはフリック操作の操作方向と拡大表示領域３５の移動方向とがことごとく逆になる。このため一見違和感があるが、スワイプ操作またはフリック操作の操作方向を、撮影画像の領域の移動方向と置き換えれば辻褄が合う。例えば上方向のスワイプ操作またはフリック操作の場合は、撮影画像の領域の移動方向が上で、相対的に拡大表示領域３５が下方向に移動されると考えれば違和感は軽減される。
【００７４】
図１５に示すように、コマンド出力部９３は、第１受付部９０または第２受付部９１からの設定指示に応じて、第１対応関係を設定する旨のコマンドを情報管理部９４に出力する。情報管理部９４は、当該コマンドに応じて、第１対応関係を第１対応関係情報８２に登録する。また、情報管理部９４は、コマンド変換用情報８１のスワイプ操作またはフリック操作の部分１００Ａ（図１１参照）のコマンドを、第１対応関係情報８２に基づいて登録する。これにより第１対応関係が設定される。すなわち、情報管理部９４は、第１受付部９０または第２受付部９１で受け付けた設定指示に応じて、ジェスチャー操作の操作方向と拡大表示領域３５の移動方向との対応関係を設定する設定部に相当し、設定機能を担う。なお、方向指示キー２２の操作の部分１００Ｂ（図１１参照）については、第２対応関係情報８３に基づいたコマンドが予め登録されている。
【００７５】
なお、設定指示は、実際には認識部９２で認識されて、コマンド出力部９３には認識結果が出力されるが、図１５では説明を単純化するため、設定指示は第１受付部９０からコマンド出力部９３に出力されるとしている。
【００７６】
コマンド出力部９３は、ジェスチャー操作またはキー操作が行われた場合に、第１対応関係または第２対応関係に基づいて撮影画像の領域内における拡大表示領域３５の移動方向を決定する。すなわち、コマンド出力部９３は決定部に相当し、決定機能を担う。コマンド出力部９３は、決定した移動方向に拡大表示領域３５を移動させる旨のコマンドを表示制御部９５に出力する。表示制御部９５は、コマンドで示される移動方向に拡大表示領域３５を移動させる。
【００７７】
図１６は、第１対応関係情報８２が図１２に示したものであって、拡大画像が表示されている表示ステータスで、ジェスチャー操作として上方向のスワイプ操作またはフリック操作が行われた場合を示している。この場合、コマンド出力部９３は、第１対応関係情報８２に基づいて部分１００Ａが生成されたコマンド変換用情報８１を参照して、拡大表示領域３５を上方向に移動させる旨のコマンドを表示制御部９５に出力する。表示制御部９５は、当該コマンドに応じて、拡大表示領域３５を上方向に移動させる。
【００７８】
拡大表示領域３５は、上方向のスワイプ操作またはフリック操作が行われる前は、矢印Ｍの左側に示すように、例えば図５（Ｂ）で示した、人物の顔全体が中央に映る領域である。この状態から上方向のスワイプ操作またはフリック操作が行われた場合、拡大表示領域３５は、矢印Ｍの右側に示すように上方向に移動されて、例えば人物の顔の上半分の領域とされる。また、この拡大表示領域３５の移動に伴い、ガイド枠３７の内枠４３が上方向に移動される。なお、下方向、左方向、右方向のスワイプ操作またはフリック操作が行われた場合は、拡大表示領域３５の移動方向がそれぞれ下方向、左方向、右方向になるだけなので図示および説明を省略する。
【００７９】
一方、図１７は、拡大画像が表示されている表示ステータスで、キー操作として方向指示キー２２の下方向の操作が行われた場合を示している。この場合、コマンド出力部９３は、拡大表示領域３５を下方向に移動させる旨のコマンドを表示制御部９５に出力する。表示制御部９５は、当該コマンドに応じて、拡大表示領域３５を下方向に移動させる。
【００８０】
矢印Ｎの左側は、図１６の矢印Ｍの左側と同じく、人物の顔全体が中央に映る領域が拡大表示領域３５である状態である。この状態から方向指示キー２２の下方向の操作が行われた場合、矢印Ｎの右側に示すように拡大表示領域３５は下方向に移動されて、例えば人物の顔を除く上半身が映る領域とされる。また、この拡大表示領域３５の移動に伴い、ガイド枠３７の内枠４３が下方向に移動される。なお、方向指示キー２２の上方向、左方向、右方向の操作が行われた場合は、拡大表示領域３５の移動方向がそれぞれ上方向、左方向、右方向になるだけなので図示および説明を省略する。
【００８１】
図１３で示した第２対応関係情報８３には、方向指示キー２２の操作方向と拡大表示領域３５の移動方向が一致する第２対応関係が登録されている。このため、表示制御部９５は、方向指示キー２２で指示された方向と一致する方向に拡大表示領域３５を移動させる。また、表示制御部９５は、画面３２内の外枠４２の表示位置は固定で、拡大表示領域３５の移動に応じて内枠４３を外枠４２に対して移動させる。以下、このガイド枠３７の表示方式を内枠移動方式という。
【００８２】
拡大表示領域３５の移動量は、指Ｆの移動量および移動速度に依存する。指Ｆの移動量が大きく、かつ移動速度が速い程、拡大表示領域３５の移動量は大きくなる。
【００８３】
次に、上記構成による作用について、図１８および図１９のフローチャートを参照して説明する。まず、図１８に示すように、設定画像５０において設定ボタン５２が選択されている表示ステータス（ステップＳＴ１００）で、シングルタップ操作またはメニュー／決定キー２３が操作された場合（ステップＳＴ１０１）、第１受付部９０または第２受付部９１で設定指示が受け付けられる（ステップＳＴ１０２、受付ステップ）。
【００８４】
図１５で示したように、設定指示は第１受付部９０または第２受付部９１からコマンド出力部９３に出力される。この設定指示に応じて、コマンド出力部９３から、第１対応関係を設定する旨のコマンドが情報管理部９４に出力される（ステップＳＴ１０３）。そして、第１対応関係を設定する旨のコマンドを受けた情報管理部９４により、第１対応関係が第１対応関係情報８２に登録される。また、第１対応関係情報８２に基づいて、コマンド変換用情報８１のスワイプ操作またはフリック操作の部分１００Ａのコマンドが登録される。これにより第１対応関係が設定される（ステップＳＴ１０４、設定ステップ）。
【００８５】
再生表示キー２４が操作された場合、図５（Ａ）で示したように、表示制御部９５により、画面３２への撮影画像の再生表示が行われる。そして、タッチ式操作部３１に対してピンチアウト操作が行われた場合、図５（Ｂ）で示したように、表示制御部９５により、画面３２への拡大画像の表示が行われる。
【００８６】
図１９に示すように、拡大画像が表示されている表示ステータス（ステップＳＴ１１０、ガイド枠３７も内枠移動方式で表示）で、タッチ式操作部３１に対してスワイプ操作またはフリック操作が行われた場合（ステップＳＴ１１１でＹＥＳ）、図１６で示したように、コマンド出力部９３により、第１対応関係に基づいて拡大表示領域３５の移動方向が決定される（ステップＳＴ１１２、決定ステップ）。
【００８７】
一方、スワイプ操作またはフリック操作ではなく、方向指示キー２２が操作された場合（ステップＳＴ１１１でＮＯ、ステップＳＴ１１３でＹＥＳ）、図１７で示したように、コマンド出力部９３により、第２対応関係に基づいて拡大表示領域３５の移動方向が決定される（ステップＳＴ１１４）。
【００８８】
拡大表示領域３５の移動方向の決定後、コマンド出力部９３から、決定した移動方向に拡大表示領域３５を移動させる旨のコマンドが表示制御部９５に出力される（ステップＳＴ１１５）。図１６の矢印Ｍの右側および図１７の矢印Ｎの右側で示したように、表示制御部９５により、決定した移動方向に拡大表示領域３５が移動され、かつ内枠４３が移動される（ステップＳＴ１１６、表示制御ステップ）。
【００８９】
これらステップＳＴ１１０〜ステップＳＴ１１６に示す処理は、戻るキー２５が操作されて拡大画像の表示が終了されるまで（ステップＳＴ１１７でＹＥＳ）、繰り返し実行される。
【００９０】
第１対応関係を設定し、スワイプ操作またはフリック操作が行われた場合に、設定された第１対応関係に基づいて拡大表示領域３５の移動方向を決定して、決定された移動方向に拡大表示領域３５を移動させるので、ユーザの好みに応じた第１対応関係、例えば自身が慣れ親しんだデジタルカメラと同じ第１対応関係を設定することができ、第１対応関係に基づいて拡大表示領域３５を移動させることができる。
【００９１】
従来は第１対応関係が設定不可で固定されており、この固定された設定に最初に違和感を覚えたユーザは、慣れるまでは違和感を引き摺ったまま操作を行わなければならなかった。対して本発明は、ユーザが好みの第１対応関係を自由に設定することができるので、最初から違和感を覚えることなく操作することができる。
【００９２】
表示制御部９５は、方向指示キー２２で指示された方向と一致する方向に拡大表示領域３５を移動させ、かつ画面３２内の外枠４２の表示位置は固定で、拡大表示領域３５の移動に応じて内枠４３を外枠４２に対して移動させる。このため、タッチ式操作部３１とは異なり、凹凸形状等の触覚的に知覚可能な形状および操作感をもつ方向指示キー２２の操作方向に対して、より直感的で分かり易い移動方向に拡大表示領域３５を移動させることができる。
【００９３】
［第２実施形態］
図２０〜図２５に示す第２実施形態では、第１対応関係に応じて、ガイド枠３７の表示、非表示を切り替える。なお、以下では、上記第１実施形態との相違点を中心に説明し、上記第１実施形態と同じ構成および作用については説明を省略する。以降の実施形態も同様である。
【００９４】
図２０（Ａ）に示す第１対応関係情報８２は、図１２で示したものと同じであり、スワイプ操作またはフリック操作の操作方向と拡大表示領域３５の移動方向が一致する場合である。この場合、表示制御部９５は、矢印Ｐの下側に示すように、上記第１実施形態と同じく、画面３２にガイド枠３７を表示する。
【００９５】
一方、図２０（Ｂ）に示す第１対応関係情報８２は、図１４で示したものと同じであり、スワイプ操作またはフリック操作の操作方向と拡大表示領域３５の移動方向が異なる場合である。この場合、表示制御部９５は、矢印Ｑの下側に破線の枠および×印で示すように、ガイド枠３７を非表示とする。ここではガイド枠３７に加えて拡大率表示バー３６も非表示としている。
【００９６】
また、表示制御部９５は、設定画像５０においてスワイプ操作またはフリック操作の操作方向と拡大表示領域３５の移動方向が異なる設定がなされ、設定ボタン５２が選択された場合、図２１に示す第１警告画像１０５を画面３２に表示する。
【００９７】
図２１において、第１警告画像１０５には、ガイド枠３７等を非表示としてよいか否かを問い合わせるメッセージ１０６が表示され、さらに、はいボタン１０７といいえボタン１０８とが設けられる。はいボタン１０７が選択された場合は、設定ボタン５２が選択された場合と同じ処理が実行される。一方、いいえボタン１０８が選択された場合は、第１警告画像１０５が画面３２から消去され、設定画像５０に表示が戻される。
【００９８】
図２２〜図２４は、本実施形態におけるデジタルカメラの処理手順を示すフローチャートである。まず、図２２に示すように、第１受付部９０または第２受付部９１で設定指示が受け付けられた場合（ステップＳＴ１０２、受付ステップ）、コマンド出力部９３において、当該設定指示で表される第１対応関係が、スワイプ操作またはフリック操作の操作方向と拡大表示領域３５の移動方向が一致するものであるか否かが判定される（ステップＳＴ２００）。
【００９９】
スワイプ操作またはフリック操作の操作方向と拡大表示領域３５の移動方向が一致していた場合（ステップＳＴ２００でＹＥＳ）は、コマンド出力部９３から、第１対応関係を設定する旨のコマンドが情報管理部９４に出力される（ステップＳＴ１０３）。以降の処理は上記第１実施形態と同じである。
【０１００】
一方、スワイプ操作またはフリック操作の操作方向と拡大表示領域３５の移動方向が異なっていた場合（ステップＳＴ２００でＮＯ）は、コマンド出力部９３から、第１警告画像１０５を画面３２に表示させる旨のコマンドが表示制御部９５に出力される。これにより第１警告画像１０５が画面３２に表示される（ステップＳＴ２０１）。
【０１０１】
第１警告画像１０５のはいボタン１０７が選択された場合（ステップＳＴ２０２でＹＥＳ）は、スワイプ操作またはフリック操作の操作方向と拡大表示領域３５の移動方向が一致していた場合と同じく、コマンド出力部９３から、第１対応関係を設定する旨のコマンドが情報管理部９４に出力される（ステップＳＴ１０３）。一方、いいえボタン１０８が選択された場合（ステップＳＴ２０２でＮＯ、ステップＳＴ２０３でＹＥＳ）は、ステップＳＴ１００に戻る。
【０１０２】
図２３に示すように、画面３２への拡大画像の表示に際しては、図２２のステップＳＴ２００と同じく、コマンド出力部９３において、第１対応関係が、スワイプ操作またはフリック操作の操作方向と拡大表示領域３５の移動方向が一致するものであるか否かが判定される（ステップＳＴ２１０）。
【０１０３】
スワイプ操作またはフリック操作の操作方向と拡大表示領域３５の移動方向が一致していた場合（ステップＳＴ２１０でＹＥＳ）は、コマンド出力部９３から、拡大画像と内枠移動方式のガイド枠３７を画面３２に表示させる旨のコマンドが表示制御部９５に出力される。これにより拡大画像および内枠移動方式のガイド枠３７が画面３２に表示される（ステップＳＴ１１０）。つまり上記第１実施形態と同じである。
【０１０４】
一方、スワイプ操作またはフリック操作の操作方向と拡大表示領域３５の移動方向が異なっていた場合（ステップＳＴ２１０でＮＯ）は、コマンド出力部９３から、拡大率表示バー３６およびガイド枠３７は非表示で、拡大画像のみを画面３２に表示させる旨のコマンドが表示制御部９５に出力される。これにより拡大画像のみが画面３２に表示される（ステップＳＴ２１１）。
【０１０５】
この拡大画像のみが表示されている表示ステータス（ステップＳＴ２１１）で、図２４に示すように、タッチ式操作部３１に対してスワイプ操作またはフリック操作が行われた場合（ステップＳＴ２１２でＹＥＳ）は、コマンド出力部９３により、第１対応関係に基づいて拡大表示領域３５の移動方向が決定される（ステップＳＴ２１３、決定ステップ）。
【０１０６】
一方、スワイプ操作またはフリック操作ではなく、方向指示キー２２が操作された場合（ステップＳＴ２１２でＮＯ、ステップＳＴ２１４でＹＥＳ）は、コマンド出力部９３により、第２対応関係に基づいて拡大表示領域３５の移動方向が決定される（ステップＳＴ２１５）。
【０１０７】
拡大表示領域３５の移動方向の決定後、コマンド出力部９３から、決定した移動方向に拡大表示領域３５を移動させる旨のコマンドが表示制御部９５に出力される（ステップＳＴ２１６）。そして、表示制御部９５により、決定した移動方向に拡大表示領域３５が移動される（ステップＳＴ２１７、表示制御ステップ）。このとき、ガイド枠３７は表示されていないので、内枠４３は移動されない。
【０１０８】
このように、スワイプ操作またはフリック操作の操作方向と拡大表示領域３５の移動方向が異なる第１対応関係であった場合はガイド枠３７を非表示とするので、スワイプ操作またはフリック操作の操作方向に対して、拡大表示領域３５の移動に連動する内枠４３が逆方向に移動することで生じる違和感をユーザに与えないで済む。
【０１０９】
また、ガイド枠３７が非表示となる場合、ガイド枠３７を非表示としてよいか否かを問い合わせる第１警告画像１０５を画面３２に表示するので、ユーザの意思を確認したうえでガイド枠３７を非表示とすることができ、設定ミスで意図せずガイド枠３７が表示されないという事態を極力回避することができる。
【０１１０】
図２０（Ａ）では、スワイプ操作またはフリック操作の操作方向と拡大表示領域３５の移動方向が上下左右で全て一致する場合を示し、図２０（Ｂ）では、スワイプ操作またはフリック操作の操作方向と拡大表示領域３５の移動方向が上下左右で全て異なる場合を示した。しかし、図２５に示すように、スワイプ操作またはフリック操作の操作方向と拡大表示領域３５の移動方向が一部一致し、一部異なる場合も考えられる。この場合は、スワイプ操作またはフリック操作の操作方向に応じて、ガイド枠３７の表示、非表示を切り替える。
【０１１１】
より詳しくは、上下方向のスワイプ操作またはフリック操作の場合は、拡大表示領域３５の移動方向が一致しているのでガイド枠３７を表示する。対して左右方向のスワイプ操作またはフリック操作の場合は、拡大表示領域３５の移動方向が異なるのでガイド枠３７を非表示とする。
【０１１２】
なお、スワイプ操作またはフリック操作の操作方向と拡大表示領域３５の移動方向が異なる第１対応関係に慣れ親しんだユーザもいる。こうしたユーザにとっては、スワイプ操作またはフリック操作の操作方向と拡大表示領域３５の移動方向が一致する第１対応関係であった場合にガイド枠３７を表示すると、かえって違和感を覚える場合がある。そこで、上記とは逆に、スワイプ操作またはフリック操作の操作方向と拡大表示領域３５の移動方向が一致する第１対応関係であった場合にガイド枠３７を非表示としてもよい。
【０１１３】
［第３実施形態］
図２６〜図２９に示す第３実施形態では、第１受付部９０または第２受付部９１で、ガイド枠３７の表示、非表示の指示（以下、表示設定指示という）を受け付け、この表示設定指示に応じて、ガイド枠３７の表示、非表示を切り替える。
【０１１４】
本実施形態では、表示制御部９５は、上記第１実施形態の図７で示した設定画像５０に替えて、図２６に示す表示設定画像１１０を画面３２に表示する。表示設定画像１１０には、スワイプ操作またはフリック操作の上下方向および左右方向のそれぞれに対して、ガイド枠３７の表示、非表示をいずれかに択一的に設定するためのラジオボタン１１１と、設定ボタン１１２とキャンセルボタン１１３とが設けられる。
【０１１５】
設定ボタン１１２およびキャンセルボタン１１３は、設定画像５０の設定ボタン５２およびキャンセルボタン５３と同じく、シングルタップ操作またはメニュー／決定キー２３で選択することが可能である。設定ボタン１１２が選択された場合、そのときのラジオボタン１１１の選択状態に基づいて、第１対応関係が設定される。図２６では、スワイプ操作またはフリック操作の上下方向および左右方向のいずれに対しても、ガイド枠３７を表示する設定がなされている。一方、キャンセルボタン１１３が選択された場合は、表示設定画像１１０が画面３２から消去される。
【０１１６】
図２７において、第１受付部９０または第２受付部９１は、表示設定指示を受け付ける。図２７（Ａ）のように、表示設定指示がガイド枠３７の表示を指示するものであった場合、矢印Ｒの下側に示すように、第１受付部９０または第２受付部９１は、スワイプ操作またはフリック操作の操作方向と拡大表示領域３５の移動方向が一致する第１対応関係の設定指示として受け付ける。対して図２７（Ｂ）のように、表示設定指示がガイド枠３７の非表示を指示するものであった場合、矢印Ｓの下側に示すように、第１受付部９０または第２受付部９１は、スワイプ操作またはフリック操作の操作方向と拡大表示領域３５の移動方向が異なる第１対応関係の設定指示として受け付ける。
【０１１７】
本実施形態においても、表示設定指示が非表示であった場合、表示制御部９５は、上記第２実施形態の図２１で示した第１警告画像１０５を画面３２に表示する。
【０１１８】
図２８および図２９は、本実施形態におけるデジタルカメラの処理手順を示すフローチャートである。まず、図２８のステップＳＴ３００に示すように、表示制御部９５により、表示設定画像１１０が画面３２に表示される。この表示設定画像１１０において設定ボタン１１２が選択されている表示ステータスで、シングルタップ操作またはメニュー／決定キー２３が操作された場合（ステップＳＴ３０１）、第１受付部９０または第２受付部９１で表示設定指示が受け付けられる（ステップＳＴ３０２、受付ステップ）。
【０１１９】
第１受付部９０または第２受付部９１で表示設定指示が受け付けられた場合、コマンド出力部９３において、当該表示設定指示がガイド枠３７の表示を指示するものであるか非表示を指示するものであるかが判定される（ステップＳＴ３０３）。
【０１２０】
表示設定指示がガイド枠３７の表示を指示するものであった場合（ステップＳＴ３０３でＹＥＳ）は、コマンド出力部９３から、スワイプ操作またはフリック操作の操作方向と拡大表示領域３５の移動方向が一致した第１対応関係を設定する旨のコマンドが情報管理部９４に出力される（ステップＳＴ３０４）。そして、第１対応関係を設定する旨のコマンドを受けた情報管理部９４により、第１対応関係が第１対応関係情報８２に登録される。また、第１対応関係情報８２に基づいて、コマンド変換用情報８１のスワイプ操作またはフリック操作の部分１００Ａのコマンドが登録される。これによりスワイプ操作またはフリック操作の操作方向と拡大表示領域３５の移動方向が一致した第１対応関係が設定される（ステップＳＴ３０５、設定ステップ）。
【０１２１】
一方、表示設定指示がガイド枠３７の非表示を指示するものであった場合（ステップＳＴ３０３でＮＯ）は、コマンド出力部９３から、図２１で示した第１警告画像１０５を画面３２に表示させる旨のコマンドが表示制御部９５に出力される。これにより第１警告画像１０５が画面３２に表示される（ステップＳＴ２０１）。
【０１２２】
第１警告画像１０５のはいボタン１０７が選択された場合（ステップＳＴ２０２でＹＥＳ）は、図２９に示すように、コマンド出力部９３から、スワイプ操作またはフリック操作の操作方向と拡大表示領域３５の移動方向が異なる第１対応関係を設定する旨のコマンドが情報管理部９４に出力される（ステップＳＴ３０６）。そして、第１対応関係を設定する旨のコマンドを受けた情報管理部９４により、第１対応関係が第１対応関係情報８２に登録される。また、第１対応関係情報８２に基づいて、コマンド変換用情報８１のスワイプ操作またはフリック操作の部分１００Ａのコマンドが登録される。これによりスワイプ操作またはフリック操作の操作方向と拡大表示領域３５の移動方向が異なる第１対応関係が設定される（ステップＳＴ３０７、設定ステップ）。
【０１２３】
一方、いいえボタン１０８が選択された場合（ステップＳＴ２０２でＮＯ、ステップＳＴ２０３でＹＥＳ）は、ステップＳＴ３００に戻る。なお、画面３２への拡大画像の表示に際しての処理手順は、上記第２実施形態の図２３および図２４で示したものと同じであるため、図示および説明を省略する。
【０１２４】
このように、ガイド枠３７の非表示の指示を、スワイプ操作またはフリック操作の操作方向と拡大表示領域３５の移動方向が異なる対応関係の設定指示として第１受付部９０または第２受付部９１で受け付けるので、上記第２実施形態と同じく、スワイプ操作またはフリック操作の操作方向に対して、拡大表示領域３５の移動に連動する内枠４３が逆方向に移動することで生じる違和感をユーザに与えないで済む。
【０１２５】
なお、上記第２実施形態と同様に、スワイプ操作またはフリック操作の操作方向と拡大表示領域３５の移動方向が異なる第１対応関係に慣れ親しんだユーザに対応するため、ガイド枠３７の非表示の指示を、逆にスワイプ操作またはフリック操作の操作方向と拡大表示領域３５の移動方向が一致する対応関係の設定指示として第１受付部９０または第２受付部９１で受け付けてもよい。
【０１２６】
［第４実施形態］
図３０〜図３３に示す第４実施形態では、第１対応関係に応じて、ガイド枠３７の表示を内枠移動方式とするか、外枠移動方式とするかを切り替える。
【０１２７】
内枠移動方式は、図６において矢印Ｋで示したように、画面３２内の外枠４２の表示位置は固定で、拡大表示領域３５の移動に応じて内枠４３を外枠４２に対して移動させる方式である。一方、外枠移動方式は、図３０において矢印Ｔで示すように、画面３２内の内枠４３の表示位置は固定で、拡大表示領域３５の移動に応じて外枠４２を内枠４３に対して移動させる方式である。この外枠移動方式では、拡大表示領域３５が例えば上方向に移動した場合、外枠４２は逆に下方向に移動される。なお、外枠移動方式においても内枠移動方式と同じく、内枠４３は、拡大率の変更に応じてその大きさが変更される。
【０１２８】
図３１（Ａ）のように、スワイプ操作またはフリック操作の操作方向と拡大表示領域３５の移動方向が一致する第１対応関係であった場合、矢印Ｕの下側に示すように、表示制御部９５は、ガイド枠３７の表示方式を内枠移動方式とする。対して、図３１（Ｂ）のように、スワイプ操作またはフリック操作の操作方向と拡大表示領域３５の移動方向が異なる第１対応関係であった場合、矢印Ｖの下側に示すように、表示制御部９５は、ガイド枠３７の表示方式を外枠移動方式とする。
【０１２９】
図３２および図３３は、本実施形態におけるデジタルカメラの処理手順を示すフローチャートである。図３２に示すように、画面３２への拡大画像の表示に際しては、上記第２実施形態の図２３と同じく、コマンド出力部９３において、第１対応関係が、スワイプ操作またはフリック操作の操作方向と拡大表示領域３５の移動方向が一致するものであるか否かが判定される（ステップＳＴ２１０）。
【０１３０】
スワイプ操作またはフリック操作の操作方向と拡大表示領域３５の移動方向が一致していた場合（ステップＳＴ２１０でＹＥＳ）は、コマンド出力部９３から、拡大画像と内枠移動方式のガイド枠３７を画面３２に表示させる旨のコマンドが表示制御部９５に出力される。これにより拡大画像および内枠移動方式のガイド枠３７が画面３２に表示される（ステップＳＴ１１０）。つまり上記第１実施形態と同じである。
【０１３１】
一方、スワイプ操作またはフリック操作の操作方向と拡大表示領域３５の移動方向が異なっていた場合（ステップＳＴ２１０でＮＯ）は、コマンド出力部９３から、拡大画像と外枠移動方式のガイド枠３７を画面３２に表示させる旨のコマンドが表示制御部９５に出力される。これにより拡大画像および外枠移動方式のガイド枠３７が画面３２に表示される（ステップＳＴ４００）。
【０１３２】
この拡大画像および外枠移動方式のガイド枠３７が表示されている表示ステータス（ステップＳＴ４００）で、図３３に示すように、タッチ式操作部３１に対してスワイプ操作またはフリック操作が行われた場合（ステップＳＴ４０１でＹＥＳ）は、コマンド出力部９３により、第１対応関係に基づいて拡大表示領域３５の移動方向が決定される（ステップＳＴ４０２、決定ステップ）。
【０１３３】
拡大表示領域３５の移動方向の決定後、コマンド出力部９３から、決定した移動方向に拡大表示領域３５を移動させる旨のコマンドが表示制御部９５に出力される（ステップＳＴ４０３）。そして、表示制御部９５により、決定した移動方向に拡大表示領域３５が移動され、かつ外枠４２が移動される（ステップＳＴ４０４、表示制御ステップ）。
【０１３４】
一方、スワイプ操作またはフリック操作ではなく、方向指示キー２２が操作された場合（ステップＳＴ４０１でＮＯ、ステップＳＴ４０５でＹＥＳ）は、コマンド出力部９３により、第２対応関係に基づいて拡大表示領域３５の移動方向が決定される（ステップＳＴ４０６）。以降の処理は、ステップＳＴ１１２の後と同じである。
【０１３５】
このように、スワイプ操作またはフリック操作の操作方向と拡大表示領域３５の移動方向が異なる第１対応関係であった場合は、ガイド枠３７の表示方式を外枠移動方式とするので、内枠移動方式とした場合に、スワイプ操作またはフリック操作の操作方向に対して、拡大表示領域３５の移動に連動する内枠４３が逆方向に移動することで生じる違和感をユーザに与えないで済む。また、外枠移動方式とすれば、スワイプ操作またはフリック操作の操作方向を、撮影画像の領域の移動方向とユーザの頭の中で置き換えやすいので、ユーザに与える違和感をより軽減することができる。
【０１３６】
なお、上記第２、第３実施形態と同様に、スワイプ操作またはフリック操作の操作方向と拡大表示領域３５の移動方向が異なる第１対応関係に慣れ親しんだユーザに対応するため、スワイプ操作またはフリック操作の操作方向と拡大表示領域３５の移動方向が異なる第１対応関係であった場合に、ガイド枠３７の表示方式を、逆に内枠移動方式としてもよい。
【０１３７】
［第５実施形態］
図３４に示す第５実施形態では、表示制御部９５は、スワイプ操作またはフリック操作の操作方向と拡大表示領域３５の移動方向が一致する設定としてよいか否かを問い合わせる第２警告画像１２０を画面３２に表示する。
【０１３８】
第２警告画像１２０は、設定画像５０においてスワイプ操作またはフリック操作の操作方向と拡大表示領域３５の移動方向が一致する設定がなされ、設定ボタン５２が選択された場合、すなわち、スワイプ操作またはフリック操作の操作方向と拡大表示領域３５の移動方向が一致する第１対応関係の設定指示を、第１受付部９０または第２受付部９１で受け付けた場合、表示制御部９５により画面３２に表示される。
【０１３９】
第２警告画像１２０には、スワイプ操作またはフリック操作の操作方向と拡大表示領域３５の移動方向が一致する設定としてよいか否かを問い合わせるメッセージ１２１が表示され、さらに、はいボタン１２２といいえボタン１２３とが設けられる。はいボタン１２２が選択された場合は、設定ボタン５２が選択された場合と同じ処理が実行される。一方、いいえボタン１２３が選択された場合は、第２警告画像１２０が画面３２から消去され、設定画像５０に表示が戻される。こうすることで、ユーザが意図しない第１対応関係が設定されることを極力回避することができる。
【０１４０】
上記各実施形態では、上下左右の４方向のスワイプ操作またはフリック操作に対する拡大表示領域３５の移動方向を第１対応関係として設定する例を示したが、左斜め上、右斜め上、左斜め下、右斜め下の４方向をさらに加えてもよい。この場合、方向指示キー２２も、左斜め上、右斜め上、左斜め下、右斜め下の各方向を指示可能に構成する。
【０１４１】
第１対応関係だけでなく、第２対応関係も設定可能に構成してもよい。
【０１４２】
上記各実施形態において、例えば、受付部に相当する第１受付部９０および第２受付部９１、認識部９２、決定部に相当するコマンド出力部９３、設定部に相当する情報管理部９４、表示制御部９５といった各種の処理を実行する処理部（processing unit)のハードウェア的な構造は、次に示すような各種のプロセッサ（processor）である。
【０１４３】
各種のプロセッサには、ＣＰＵ、プログラマブルロジックデバイス（Programmable Logic Device:ＰＬＤ）、専用電気回路等が含まれる。ＣＰＵは、周知のとおりソフトウエア（プログラム）を実行して各種の処理部として機能する汎用的なプロセッサである。ＰＬＤは、ＦＰＧＡ(Field Programmable Gate Array)等の、製造後に回路構成を変更可能なプロセッサである。専用電気回路は、ＡＳＩＣ（Application Specific Integrated Circuit）等の特定の処理を実行させるために専用に設計された回路構成を有するプロセッサである。
【０１４４】
１つの処理部は、これら各種のプロセッサのうちの１つで構成されてもよいし、同種または異種の２つ以上のプロセッサの組み合せ（例えば、複数のＦＰＧＡや、ＣＰＵとＦＰＧＡの組み合わせ）で構成されてもよい。また、複数の処理部を１つのプロセッサで構成してもよい。複数の処理部を１つのプロセッサで構成する例としては、第１に、１つ以上のＣＰＵとソフトウエアの組み合わせで１つのプロセッサを構成し、このプロセッサが複数の処理部として機能する形態がある。第２に、システムオンチップ（System On Chip:ＳｏＣ）等に代表されるように、複数の処理部を含むシステム全体の機能を１つのＩＣチップで実現するプロセッサを使用する形態がある。このように、各種の処理部は、ハードウェア的な構造として、上記各種のプロセッサを１つ以上用いて構成される。
【０１４５】
さらに、これらの各種のプロセッサのハードウェア的な構造は、より具体的には、半導体素子等の回路素子を組み合わせた電気回路（circuitry）である。
【０１４６】
上記記載から、以下の付記項１に記載の撮像装置を把握することができる。
［付記項１］
表示部、および前記表示部の画面に重ねて配置される透明なタッチ式操作部で構成されるタッチパネルディスプレイを備える撮像装置において、
撮影画像を前記画面に再生表示した場合に前記撮影画像の一部の領域を拡大した拡大画像を表示し、前記タッチ式操作部に対するユーザの指の接触によるジェスチャー操作に応じて、前記拡大画像として表示する前記撮影画像の一部の領域である拡大表示領域を前記撮影画像の領域内で移動させ、かつ前記撮影画像の領域を示す外枠と、前記拡大表示領域を示す内枠とで構成されるガイド枠を、前記拡大画像に加えて前記画面に表示する表示制御プロセッサと、
前記ジェスチャー操作の操作方向と前記拡大表示領域の移動方向との対応関係の設定指示を受け付ける受付プロセッサと、
前記対応関係を前記設定指示に応じて設定する設定プロセッサと、
前記ジェスチャー操作が行われた場合に、前記対応関係に基づいて前記撮影画像の領域内における前記移動方向を決定する決定プロセッサとを備え、
前記表示制御プロセッサは、前記決定プロセッサで決定された前記移動方向に前記拡大表示領域を移動させる撮像装置。
【０１４７】
上記各実施形態では、撮像装置としてレンズ交換式のデジタルカメラ１０を例示したが、本発明はこれに限らない。レンズ部がカメラ本体に一体的に備え付けられているデジタルカメラにも本発明は適用可能である。また、ビデオカメラやカメラ付き携帯電話等にも本発明は適用可能である。
【０１４８】
本発明は、上記各実施形態に限らず、本発明の要旨を逸脱しない限り種々の構成を採用し得ることはもちろんである。
【符号の説明】
【０１４９】
１０  デジタルカメラ（撮像装置）
１１  レンズ鏡筒
１２  撮像光学系
１３  イメージセンサ
１４  電源レバー
１５  レリーズスイッチ
１６  ホットシュー
１７  ファインダ部
１８  対物窓
１９  接眼窓
２０  タッチパネルディスプレイ
２１  操作キー群
２２  方向指示キー
２３  メニュー／決定キー
２４  再生表示キー
２５  戻るキー
２６  蓋
３０  表示部
３１  タッチ式操作部
３２  画面
３５  拡大表示領域
３６  拡大率表示バー
３７  ガイド枠
４０  バー本体
４１  マーク
４２  外枠
４３  内枠
５０  設定画像
５１、１１１  ラジオボタン
５２、１１２  設定ボタン
５３、１１３  キャンセルボタン
６０  移動レンズ
６１  絞り機構
６５  アナログ処理部（ＡＦＥ）
６６  デジタル信号処理部（ＤＳＰ）
６７  センサ制御部
６８  光学系制御部
６９  ＣＰＵ
７０  フレームメモリ
７１  カード制御部
７２  記憶部
７３  データバス
７５  作動プログラム
７６  メモリカード
８０  ジェスチャー操作認識用情報
８１  コマンド変換用情報
８２  第１対応関係情報
８３  第２対応関係情報
９０、９１  第１、第２受付部（受付部）
９２  認識部
９３  コマンド出力部（決定部）
９４  情報管理部（設定部）
９５  表示制御部
１００Ａ  コマンド変換用情報のスワイプ操作またはフリック操作の部分
１００Ｂ  コマンド変換用情報の方向指示キーの操作の部分
１０５  第１警告画像
１０６、１２１  メッセージ
１０７、１２２  はいボタン
１０８、１２３  いいえボタン
１１０  表示設定画像
１２０  第２警告画像
Ｆ  指
Ｋ〜Ｎ、Ｐ〜Ｖ  矢印
ＯＡ  光軸
ＳＴ１００〜ＳＴ１０４、ＳＴ１１０〜ＳＴ１１７、ＳＴ２００〜ＳＴ２０３、ＳＴ２１０〜ＳＴ２１７、ＳＴ３００〜ＳＴ３０７、ＳＴ４００〜ＳＴ４０６  ステップ
【図１】
2019087902.tif 000003
【図２】
2019087902.tif 000004
【図３】
2019087902.tif 000005
【図４】
2019087902.tif 000006
【図５】
2019087902.tif 000007
【図６】
2019087902.tif 000008
【図７】
2019087902.tif 000009
【図８】
2019087902.tif 000010
【図９】
2019087902.tif 000011
【図１０】
2019087902.tif 000012
【図１１】
2019087902.tif 000013
【図１２】
2019087902.tif 000014
【図１３】
2019087902.tif 000015
【図１４】
2019087902.tif 000016
【図１５】
2019087902.tif 000017
【図１６】
2019087902.tif 000018
【図１７】
2019087902.tif 000019
【図１８】
2019087902.tif 000020
【図１９】
2019087902.tif 000021
【図２０】
2019087902.tif 000022
【図２１】
2019087902.tif 000023
【図２２】
2019087902.tif 000024
【図２３】
2019087902.tif 000025
【図２４】
2019087902.tif 000026
【図２５】
2019087902.tif 000027
【図２６】
2019087902.tif 000028
【図２７】
2019087902.tif 000029
【図２８】
2019087902.tif 000030
【図２９】
2019087902.tif 000031
【図３０】
2019087902.tif 000032
【図３１】
2019087902.tif 000033
【図３２】
2019087902.tif 000034
【図３３】
2019087902.tif 000035
【図３４】
2019087902.tif 000036
【国際調査報告】
2019087902.tif 000037
2019087902.tif 000038
2019087902.tif 000039